(57)【要約】【課題】施工が容易で、野縁受けの保持が強固な野縁受け用ハンガーを提供する。【解決手段】建築構造体に支持された吊りボルト２に対して野縁受け４を吊り下げるための野縁受け用ハンガー３であって、野縁受け４を係止する係止手段５と、この係止手段５に係止された野縁受け４を固定する固定手段６とを有し、係止手段５は、吊りボルト２が挿通可能なボルト挿通孔を備えた上面部７と、この上面部７の下部に上方を開放した係止凹部１１とを備え、固定手段６は、係止凹部１１の一端に回動自在に設けられ、係止凹部１１を開閉可能に設けた固定片１６と、固定片１６の上部に上面部７に被覆可能に設けた被覆部１７とを備え、被覆部１７には、上面部７に係止可能な係止爪１８を備えている。【選択図】図１
2019027273.tif 000002
【特許請求の範囲】
【請求項１】
建築構造体に支持された吊りボルトに対して野縁受けを吊り下げるための野縁受け用ハンガーであって、
前記野縁受けを係止する係止手段と、この係止手段に係止された前記野縁受けを固定する固定手段とを有し、
前記係止手段は、前記吊りボルトが挿通可能なボルト挿通孔を備えた上面部と、この上面部の下部に上方を開放した係止凹部とを備え、
前記固定手段は、開閉手段を介して前記係止凹部の一端に回動自在に設けられ、前記係止凹部を開閉可能に設けた固定片と、前記固定片の上部に前記上面部に被覆可能に設けた被覆部とを備え、
前記被覆部には、前記上面部に係止可能な係止爪を備えたことを特徴とする野縁受け用ハンガー。
【請求項２】
前記係止手段は一枚の板材から形成されるとともに、
前記固定手段も一枚の板材から形成されたことを特徴とする請求項１記載の野縁受け用ハンガー。
【請求項３】
前記開閉手段は、前記係止凹部に設けた係止側ヒンジ部と、前記固定片に設けた固定側ヒンジ部と、前記係止側ヒンジ部と前記固定側ヒンジ部に連続して挿通され、前記係止側ヒンジ部と前記固定側ヒンジ部とを一体的に連結し、前記係止凹部に対して前記固定片を回動自在とするヒンジ軸とを備えたことを特徴とする請求項１記載の野縁受け用ハンガー。
【請求項４】
前記開閉手段は、
前記係止凹部に設けた係止側溝部と、
前記固定片に設けた固定側溝部とを備え、
前記係止側溝部と前記固定側溝部とが相互に差し込まれることで、前記固定手段が前記係止手段に組み込まれることを特徴とする請求項１記載の野縁受け用ハンガー。
【請求項５】
前記係止凹部を、前記吊りボルトの軸線上に配置したことを特徴とする請求項１又は２に記載の野縁受け用ハンガー。
【発明の詳細な説明】
【技術分野】
【０００１】
本発明は、建物躯体から垂設された吊りボルトに野縁受けを保持するハンガーに関する。
【背景技術】
【０００２】
従来、天井構造としては、建物躯体から垂設された吊りボルトに装着されたハンガーに野縁受けを保持し、野縁受けの下部に野縁を設置し、その野縁の下部に天井材を設けたものがある（特許文献１参照）。
【先行技術文献】
【特許文献】
【０００３】
【特許文献１】特開２０１０−２２９７８５号公報
【発明の概要】
【発明が解決しようとする課題】
【０００４】
しかし、特許文献１では、ハンガーは、ボルト挿通孔が形成された上板部と、この上板部から下方向に延出されるとともにその下端側を略水平かつ外側方向に折り曲げ、さらにその先端側を略垂直上方向に折り曲げることにより前記野縁受けを嵌め入れ可能に上方向が略凹状に開口してなる係止部とを有しており、地震等により、野縁受けから上向きの荷重がかかると、係止部が外向きに変位して、上板部と係止部との折り曲げ箇所に荷重がかかり、破損してしまう虞がある、という問題点があった。
【０００５】
そこで、本発明は、施工が容易で、野縁受けの保持が強固な野縁受け用ハンガーを提供することを目的とする。
【課題を解決するための手段】
【０００６】
請求項１の発明は、建築構造体に支持された吊りボルトに対して野縁受けを吊り下げるための野縁受け用ハンガーであって、前記野縁受けを係止する係止手段と、この係止手段に係止された前記野縁受けを固定する固定手段とを有し、前記係止手段は、前記吊りボルトが挿通可能なボルト挿通孔を備えた上面部と、この上面部の下部に上方を開放した係止凹部とを備え、前記固定手段は、開閉手段を介して前記係止凹部の一端に回動自在に設けられ、前記係止凹部を開閉可能に設けた固定片と、前記固定片の上部に前記上面部に被覆可能に設けた被覆部とを備え、前記被覆部には、前記上面部に係止可能な係止爪を備えたことを特徴とする。
【０００７】
請求項２の発明は、前記係止手段は一枚の板材から形成されるとともに、前記固定手段も一枚の板材から形成されたことを特徴とする。
【０００８】
請求項３の発明は、前記開閉手段は、前記係止凹部に設けた係止側ヒンジ部と、前記固定片に設けた固定側ヒンジ部と、前記係止側ヒンジ部と前記固定側ヒンジ部に連続して挿通され、前記係止側ヒンジ部と前記固定側ヒンジ部とを一体的に連結し、前記係止凹部に対して前記固定片を回動自在とするヒンジ軸とを備えたことを特徴とする。
【０００９】
請求項４の発明は、前記開閉手段は、前記係止凹部に設けた係止側溝部と、前記固定片に設けた固定側溝部とを備え、前記係止側溝部と前記固定側溝部とが相互に差し込まれることで、前記固定手段が前記係止手段に組み込まれることを特徴とする。
【００１０】
請求項５の発明は、前記係止凹部を、前記吊りボルトの軸線上に配置したことを特徴とする。
【発明の効果】
【００１１】
請求項１の発明によれば、係止手段を固定手段と一体的に備えたことで、片手での操作で野縁受けを吊り下げ保持することが可能となり、野縁受けの施工が容易となる。また、係止爪により、固定手段が不用意に係止手段から脱落することを防ぎ、野縁受けの保持が強固なものとなる。
【００１２】
請求項２の発明によれば、野縁受け用ハンガーを一体的に構成することができる。
【００１３】
請求項３の発明によれば、係止手段を固定手段と一体的に備えたことで、片手での操作で野縁受けを吊り下げ保持することが可能となり、野縁受けの施工が容易となる。
【００１４】
請求項４の発明によれば、開閉手段の構造を簡単で組み立て易いものとすることができるとともに、部品点数の削減を図ることで製造コストを下げることができる。
【００１５】
請求項５の発明によれば、吊りボルトの軸線上に野縁受けが配置されることで、野縁受け用ハンガーは略均等に野縁受けの荷重を支持することとなり、捻れにも強く野縁受けを吊り下げることができる。
【図面の簡単な説明】
【００１６】
【図１】本発明の第１実施例における野縁受け用ハンガーの使用状態を示す側面図である。
【図２】同上、図１におけるＡ−Ａ断面図である。
【図３】同上、野縁受け用ハンガーの固定手段を開いた状態を示す斜視図である。
【図４】同上、図３の状態から、野縁受け用ハンガーを吊りボルトに取り付けた状態を示す斜視図である。
【図５】同上、図４の状態から、係止凹部に野縁受けを係止させた状態を示す斜視図である。
【図６】同上、図５の状態から、固定手段で開口部を閉塞し、野縁受けをハンガーに固定した状態を示す斜視図である。
【図７】本発明の第２実施例における野縁受け用ハンガーの使用状態を示す要部拡大側面図である。
【図８】本発明の第３実施例における野縁受け用ハンガーの使用状態を示す側面図である。
【図９】本発明の第４実施例における野縁受け用ハンガーの側面図である。
【図１０】同上、野縁受け用ハンガーの使用状態を示す側面図である。
【図１１】本発明の第５実施例における野縁受け用ハンガーの斜視図である。
【図１２】同上、野縁受け用ハンガーの固定手段を開いた状態を示す斜視図である。
【図１３】同上、回り止め部付近の平面断面図である。
【図１４】本発明の第６実施例における野縁受け用ハンガーの使用状態を示す側面図である。
【図１５】同上、野縁受け用ハンガーの固定手段を開いた状態を示す側面図である。
【図１６】同上、野縁受け用ハンガーの閉鎖状態を示す斜視図である。
【図１７】同上、野縁受け用ハンガーの開放状態を示す斜視図である。
【図１８】同上、係止手段の正面図である。
【図１９】同上、固定手段の正面図である。
【発明を実施するための最良の形態】
【００１７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１８】
図１〜図６は本発明の実施例１を示すものであり、本実施例の吊り天井構造の一例を説明すると、断面略Ｃ形状の溝形鋼からなる複数の野縁部材と、上部構造体としてのコンクリート下地等の上階床スラブや屋根構造物より垂設された垂設部材としての吊りボルト２にハンガー３を介して接続された断面略Ｃ形状の形鋼からなる野縁受け４とを、野縁取付金具を介して互いに直交させて一体化して天井下地材を形成し、野縁部材の下面に石膏ボード、コンパネ、スパンドレル等の金属化粧板等の板材からなる天井材をビス等によって取り付けて構成するものである。
【００１９】
次に、本実施例のハンガー３について説明する。ハンガー３は、野縁受け４を係止する係止手段５と、係止手段５に係止された野縁受け４を固定する固定手段６とを備えている。
【００２０】
係止手段５は、上面部７と、上面部７の一端を垂直下向きに延設した側壁部８と、側壁部８の下端を上面部７と略平行となるように水平方向内向きに延設した下面部９と、下面部９の一端を側壁部８と略平行となるように垂直上向きに延設した係止片１０とを備えた、ステンレス鋼等の金属板を折り曲げ形成したものである。尚、側壁部８と係止片１０との間隔は、野縁受け４の幅とほぼ等しく形成されている。尚、上面部７と下面部９は、上下方向に対向して備えている。
【００２１】
係止片１０は、側壁部８の上下方向の寸法より小さく、且つ野縁受け４の高さより小さく形成されている。
【００２２】
また、側壁部８と下面部９と係止片１０により、上方を開放した係止凹部１１を構成している。
【００２３】
そして、上面部７の他端の下方と係止片１０の上部の間には、野縁受け４を係止凹部１１へ出し入れ可能とする開口部１２を備えている。
【００２４】
上面部７は、略矩形状に形成されており、中央部分に吊りボルト２が挿通可能なボルト挿通孔１３を設けている。ボルト挿通孔１３の中心は下面部９の中心とぼぼ同一直線状に位置しているものとする。
【００２５】
また、側壁部８には、係止凹部１１に係止された野縁受け４の角部４Ａを保持する保持爪部１４を備えている。また、側壁部８の下部には、野縁受け４をビスＢで固定するためのビス孔８Ａを備えている。
【００２６】
固定手段６は、係止片１０の上部に開閉手段１５を介して上下方向に回動自在に設けた固定片１６と、前記固定片１６の上部に設け、上面部７を被覆可能に備えた被覆部１７とを備えている。
【００２７】
開閉手段１５は、係止片１０の上部に略円筒状に設けた係止側ヒンジ部１５Ａと、固定片１６の下部に略円筒状に設けた固定側ヒンジ部１５Ｂと、係止側ヒンジ部１５Ａと固定側ヒンジ部１５Ｂに連続して挿通され、係止側ヒンジ部１５Ａと固定側ヒンジ部１５Ｂとを一体にし、係止片に対して固定片を回動自在とする回動軸となるヒンジ軸１５Ｃとを備えたヒンジ機構としている。尚、開閉手段１５にはヒンジ機構を採用したが、固定片１６で開口部１２を開閉する機構であれば、ヒンジ機構に限定されるものではない。係止側ヒンジ部１５Ａを係止片１０に外向きに突出して設けるとともに、固定側ヒンジ部１５Ｂを固定片１６に外向きに突出して設けたことで、開閉手段１５は係止凹部１１に対して外向きに突出して設けられており、野縁受け４を係止凹部１１の内部に出し入れする際に引っ掛かりのない構成となっている。
【００２８】
固定片１６は、開口部１２を閉塞可能な大きさに形成されたステンレス鋼等の金属板からなる。
【００２９】
被覆部１７は、固定片１６の上部を直角に折り曲げ形成されたものであり、先端には直角に折り曲げて形成された係止爪１８を備えている。
【００３０】
被覆部１７には、固定片１６の回動方向と平行、かつ吊りボルト２が挿通可能に形成された挿通溝１９を備えている。
【００３１】
固定片１６には、係止凹部１１に係止された野縁受け４の側壁部の先端４Ｂを保持する保持爪部２０を備えている。
【００３２】
次に、ハンガー３における各構成の作用について、取り付け方法とともに説明する。まず、図４に示すように、吊りボルト２に予め上側ナット２１を螺合させる。そして、上面部７のボルト挿通孔１３を吊りボルト２に挿通させ、その下側ナット２２を吊りボルト２に螺合させる。
【００３３】
次に、図５に示すように、野縁受け４を開口部１２から係止凹部１１に挿入する。ここで、下側ナット２２を操作して野縁受け４の高さ調整を行い、野縁受け４のレベル合わせを行う。
【００３４】
そして、図６に示すように、固定片１６を上方向に回動させ、開口部１２を閉塞し、被覆部１７は、係止凹部１１とは吊りボルト２の軸線Ｘに対して軸対称となる位置に配置され、係止爪１８が上面部７の先端に係止されて、上面部７に重ねられた後、上側ナット２１と下側ナット２２により挟持される。ここで、上面部７の先端から側壁部８までの寸法Ｌ１を、六角ナットからなる下側ナット２２の対向する面２２Ａ同士の間の寸法（二面幅）Ｌ２よりわずかに大きく形成されており、図２に示すように、下側ナット２２の面２２Ａを側壁部８と対向させると、下側ナット２２は回動不能となる。
【００３５】
ボルト挿通孔１３の中心は下面部９の中心とぼぼ同一直線状に位置しており、吊りボルト２の軸線Ｘ上に野縁受け４が配置されることで、野縁受け用ハンガー３は略均等に野縁受け４の荷重を支持することとなり、地震時の突き上げや捻れにも強く野縁受け４を吊り下げることができる。
【００３６】
以上のように本実施例は、建築構造体に支持された吊りボルト２に対して野縁受け４を吊り下げるための野縁受け用ハンガー３であって、野縁受け４を係止する係止手段５と、この係止手段５に係止された野縁受け４を固定する固定手段６とを有し、係止手段５は、吊りボルト２が挿通可能なボルト挿通孔１３を備えた上面部７と、この上面部７の下部に上方を開放した係止凹部１１とを備え、固定手段６は、開閉手段１５を介して係止凹部１１の一端に回動自在に設けられ、係止凹部１１を開閉可能に設けた固定片１６と、固定片１６の上部に上面部７に被覆可能に設けた被覆部１７とを備え、被覆部１７には、上面部７に係止可能な係止爪１８を備えている。
【００３７】
この場合、係止手段５を固定手段６と一体的に備えたことで、片手での操作で野縁受け４を吊り下げ保持することが可能となり、野縁受け４の施工が容易となる。また、係止爪１８により、固定手段６が不用意に係止手段５から脱落することを防ぎ、野縁受け４の保持が強固なものとなる。
【００３８】
また、本実施例は、前記係止手段５は一枚の板材から形成されるとともに、前記固定手段６も一枚の板材から形成したことで、野縁受け用ハンガー３を一体的に構成することができる。
【００３９】
また、本実施例は、開閉手段１５は、係止凹部１１に設けた係止側ヒンジ部１５Ａと、固定片１６に設けた固定側ヒンジ部１５Ｂと、係止側ヒンジ部１５Ａと固定側ヒンジ部１５Ｂに連続して挿通され、係止側ヒンジ部１５Ａと固定側ヒンジ部１５Ｂとを一体的に連結し、係止凹部１１に対して固定片１６を回動自在とするヒンジ軸１５Ｃとを備えている。
【００４０】
この場合、開閉手段１５を介して、係止手段５を固定手段６と一体的に備えたことで、片手での操作で野縁受け４を吊り下げ保持することが可能となり、野縁受け４の施工が容易となる。
【００４１】
また、本実施例は、前記係止凹部１１を、前記吊りボルト２の軸線Ｘ上に配置したことで、吊りボルト２の軸線Ｘ上に野縁受け４が配置されることで、野縁受け用ハンガー３は略均等に野縁受け４の荷重を支持することとなり、地震時の突き上げや捻れにも強く野縁受け４を吊り下げることができる。
【実施例２】
【００４２】
次に図７は、本発明の第２実施例を示すものである。同図において、図１〜図６と同一部分には同一符号を付し、その共通する部分の詳細な説明は省略する。本実施例は、上側ナット２１と被覆部１７との間に設けたゴム等の弾性部材からなる上側リング２３と、上面部７と下側ナット２２との間に設けたゴム等の弾性部材からなる下側リング２４とを備えている。
【００４３】
この場合、上側ナット２１と被覆部１７との間に設けたゴム等の弾性部材からなる上側リング２３と、上面部７と下側ナット２２との間に下側リング２４を備えたことにより、上側ナット２１と下側ナット２２が振動により不用意に回転して、上側ナット２１と下側ナット２２によるハンガー３の保持が弛緩するのを防ぐことができる。
【実施例３】
【００４４】
次に図８は、本発明の第３実施例を示すものである。同図において、図１〜図６と同一部分には同一符号を付し、その共通する部分の詳細な説明は省略する。本実施例では、複数の野縁受け４間に野縁受け４と水平方向に直交する横杆部材２５を、取付金具２６を介して吊りボルト２に装着する。
【００４５】
この場合、野縁受け４と横杆部材２５によって水平方向に格子体が形成されるので、地震時に天井が波打つのを防ぐことができる。
【実施例４】
【００４６】
次に図９及び図１０は、本発明の第４実施例を示すものである。同図において、図１〜図６と同一部分には同一符号を付し、その共通する部分の詳細な説明は省略する。本実施例では、天井裏の照明、音響、空調等の各種設備機器２７の保持にハンガー３を用いた例を説明する。本実施例のハンガー３は、係止手段５の下面部９の中央にボルト挿通孔２８を備えている。
【００４７】
そして、天井から吊り下げ保持された吊りボルト２にハンガー３の上面部７を装着するとともに、下面部９に装着されたボルト２を各種設備機器２７に接続して天井裏に各種設備機器２７を吊り下げ保持している。また、斜めに設置された吊ボルト２によって、各種設備機器２７は地震時の揺れを防ぐことができる。
【実施例５】
【００４８】
次に図１１〜図１３は、本発明の第５実施例を示すものである。同図において、図１〜図６と同一部分には同一符号を付し、その共通する部分の詳細な説明は省略する。本実施例では、ハンガー３の上面部７に、上面部７の先端側から側壁部８へ向けて切り欠いて形成され、吊りボルト２が挿通可能な挿通溝２９を設けるとともに、上面部７の先端側の両角を下方に折り曲げて、下側ナット２２の面２２Ａに対向し係合可能な回り止め部３０を備えている。
【００４９】
この場合、上面部７に挿通溝２９を備えることで、予め下側ナット２２が吊りボルト２に装着されていても、挿通溝２９によって上面部７を吊りボルト２の側面から取り付けることが可能となり、既設の天井への施工も可能となる。
【００５０】
また、回り止め部３０を備えたことで、下側ナット２２が不用意に回転することを防ぐことができる。
【実施例６】
【００５１】
次に図１４〜図１９は、本発明の第６実施例を示すものである。同図において、図１〜図１３と同一部分には同一符号を付し、その共通する部分の詳細な説明は省略する。本実施例では、図１４、図１５、及び図１８に示すように係止片１０は、係止片１０の上端を係止凹部１１の内側に向けて、つまり側壁部８へ向けて折り曲げ形成した係止側傾斜部４０を備えている。また、図１４、図１５、及び図１９に示すように固定片１６は、固定片１６の下端を係止凹部１１の内側に向けて折り曲げ形成した固定側傾斜部４１を備えている。
【００５２】
本実施例の開閉手段４２は、図１８に示すように係止片１０と係止側傾斜部４０との境界をなす係止側稜線部４３に沿って係止片１０の両側面１０Ａ，１０Ｂのうちの一方の側面１０Ａから中央に向けて水平方向に連通して形成された係止側溝部４４と、図１９に示すように固定片１６と固定側傾斜部４１との境界をなす固定側稜線部４５に沿って固定片１６の両側面１６Ａ，１６Ｂのうちの他方の側面１６Ｂから中央に向けて水平方向に連通して形成された固定側溝部４６とを備えている。尚、係止手段５と固定手段６とを一体化とした状態では、側面１０Ａと側面１６Ａと、側面１０Ｂと側面１６Ｂとがそれぞれ対向し、係止側溝部４４と固定側溝部４６は、互いに反対側の側面１０Ａ，１６Ｂが開口している。なお、係止側溝部４４と固定側溝部４６が側面１０Ｂと側面１６Ａから中央に向けてそれぞれ設けられてもよい。
【００５３】
そして、開閉手段４２では、図１４〜図１７に示すように係止側溝部４４と固定側溝部４６同士を相互に差し込み、係止片１０と固定片１６の一部を重なり合せることで、係止側溝部４４と固定側溝４６の交差部分を回動中心として固定片１６を回動可能としている。そして、固定片１６が、係止片１０に対して図１４及び図１６に示す閉鎖状態から図１５及び図１７に示す開放状態まで揺動自在に備えられている。
【００５４】
尚、図１５及び図１７に示す開放状態では、係止側傾斜部４０と固定側傾斜部４１とが接触することで固定片１６の開放方向への回動動作が規制される。
【００５５】
これによって、開閉手段４２は、開放状態から閉鎖状態までの回転角度α（図１５参照）は係止側傾斜部４０及び／又は固定側傾斜部４１の折り曲げの大きさと反比例するもので、係止側傾斜部４０及び／又は固定側傾斜部４１の折り曲げを調節することで回動角度αを調節することができる。そして、回動角度αを大きくすることで開口部１２を広く使用することができるので、野縁受け４の係止凹部１１への出し入れが容易になり、回動角度αを小さくすることで開放状態での上面部７と被覆部１７の間隔を狭めて、開放状態から人差し指や中指で係止手段５を押さえておきながら親指で固定手段６を係止手段５へ向けて押していき、ハンガー３を閉鎖状態にするという片手での操作を可能とし、ハンガー３の施工性を向上させることができる。
【００５６】
本実施例の野縁受け用ハンガー３は、開閉手段４２に、係止凹部１１に設けた係止側溝部４４と、固定片１６に設けた固定側溝部４６とを備え、係止側溝部４４と固定側溝部４６とが相互に差し込まれることで、固定手段６が係止手段５に組み込まれることにより、開閉手段４２の構造を簡単で組み立て易いものとすることができるとともに、部品点数の削減を図ることで製造コストを下げることができる。
【００５７】
本発明は上記各実施例に限定されるものではなく、本発明の要旨の範囲内において種々の変形実施が可能である。例えば、開閉手段は固定手段を係止手段に対して揺動自在とするものであれば各実施例の構成に限定されるものではない。
【符号の説明】
【００５８】
２  吊りボルト
３  ハンガー
４  野縁受け
５  係止手段
６  固定手段
７  上面部
１１  係止凹部
１３  ボルト挿通孔
１５  開閉手段
１５Ａ  係止側ヒンジ部
１５Ｂ  固定側ヒンジ部
１５Ｃ  ヒンジ軸
１６  固定片
１７  被覆部
１８  係止爪
４２  開閉手段
４４  係止側溝部
４６  固定側溝部
Ｘ  軸線
【図１】
2019027273.tif 000003
【図２】
2019027273.tif 000004
【図３】
2019027273.tif 000005
【図４】
2019027273.tif 000006
【図５】
2019027273.tif 000007
【図６】
2019027273.tif 000008
【図７】
2019027273.tif 000009
【図８】
2019027273.tif 000010
【図９】
2019027273.tif 000011
【図１０】
2019027273.tif 000012
【図１１】
2019027273.tif 000013
【図１２】
2019027273.tif 000014
【図１３】
2019027273.tif 000015
【図１４】
2019027273.tif 000016
【図１５】
2019027273.tif 000017
【図１６】
2019027273.tif 000018
【図１７】
2019027273.tif 000019
【図１８】
2019027273.tif 000020
【図１９】
2019027273.tif 000021